(57)【要約】【課題】ベース板と一体のタイルの交換可能なタイル外壁を提供すること。【解決手段】外壁下地材１０の表面に胴縁２０が設けられ、胴縁２０にベース板３０が固定され、ベース板３０に形成された凸部３２に、裏面に形成された係合溝４１が係合されてタイル４０が固定されたタイル外壁において、ベース板３０に隣接された固定ベース板８０が、外壁下地材１０に、固定ベース板用胴縁部材としての横胴縁９１、縦胴縁９２、横胴縁９３を介して固定され、固定ベース板８０の表面に、凸部３２と上下方向の位置を一致させてガイドレール１００が設けられ、タイル４０がガイドレール１００に位置決めされて固定ベース板８０に固定されていることを特徴とするタイル外壁とした。【選択図】図１
2020139405.tif 000002
【特許請求の範囲】
【請求項１】
外壁下地材の表面に胴縁が設けられ、
前記胴縁にベース板が固定され、
前記ベース板に形成された凸部に、裏面に形成された係合溝が係合されてタイルが固定されたタイル外壁において、
前記ベース板に隣接された固定ベース板が、前記外壁下地材に、固定ベース板用胴縁部材を介して固定され、
前記固定ベース板の表面に、前記凸部と上下方向の位置を一致させてガイドレールが設けられ、
前記タイルが前記ガイドレールに位置決めされて前記固定ベース板に固定されていることを特徴とするタイル外壁。
【請求項２】
外壁下地材の表面に胴縁が設けられ、
前記胴縁にベース板が固定され、
前記ベース板に形成された凸部に、裏面に形成された係合溝が係合されてタイルが固定されたタイル外壁において、
前記ベース板に隣接された固定ベース板が、前記外壁下地材に、固定ベース板用胴縁部材を介して固定され、
前記固定ベース板の表面に、ガイドレールが設けられ、
前記ガイドレールに前記係合溝を係合して前記タイルが前記固定ベース板に固定されていることを特徴とするタイル外壁。
【請求項３】
外壁下地材の表面に胴縁が設けられ、
前記胴縁にベース板が固定され、
前記ベース板にタイルが固定されたタイル外壁において、
前記ベース板に隣接された固定ベース板が、前記外壁下地材に、固定ベース板用胴縁部材を介して固定され、
前記固定ベース板の表面に、ガイドレールが設けられ、
前記タイルが前記ガイドレールに位置決めされて前記固定ベース板に固定されていることを特徴とするタイル外壁。
【請求項４】
請求項１〜請求項３のいずれか１項に記載のタイル外壁において、
前記固定ベース板用胴縁部材は、前記ベース板と前記外壁下地材との間に介在される第１支持部と、前記固定ベース板の外周縁部と前記外壁下地材との間に介在される第２支持部と、を備えることを特徴とするタイル外壁。
【請求項５】
請求項１〜請求項４のいずれか１項に記載のタイル外壁において、
前記固定ベース板用胴縁部材として、前記固定ベース板の中間部を支持する第２の胴縁を備えることを特徴とするタイル外壁。
【請求項６】
請求項１〜請求項５のいずれか１項に記載のタイル外壁において、
前記固定ベース板の外周縁部と前記ベース板との目地部分に、前記目地部分と前記固定ベース板用胴縁部材とを区画する薄板製のジョイナが介在され、
前記目地部分に、前記ジョイナの上からシール材が充填されていることを特徴とするタイル外壁。
【請求項７】
ベース板に開口部を形成し、この開口部の範囲内の前記ベース板およびタイルを撤去する工程と、
前記開口部において、外壁下地材に固定ベース板用胴縁部材を固定し設置する工程と、
前記固定ベース板用胴縁部材に平板状の固定ベース板を設置し、前記開口部を前記固定ベース板により覆う工程と、
前記ベース板の凸部に連続して、前記固定ベース板の表面に、ガイドレールを設置する工程と、
前記タイルを、前記ガイドレールにより位置決めした状態で前記固定ベース板に固定する工程と、
を実行することを特徴とするタイル外壁の施工方法。
【発明の詳細な説明】
【技術分野】
【０００１】
本発明は、タイル固定用のベース板にタイルを係合状態で固定したタイル外壁およびタイル外壁の施工方法に関するものである。
【背景技術】
【０００２】
従来、建物の壁のタイル固定用のベース板にタイルを係合状態で固定して、タイルの脱落を抑制するようにしたタイル外壁が知られている。
さらに、このようなタイル外壁として、ベース板に水平方向に延在された凸部を一体に形成し、この凸部にタイルの裏側に形成した係合溝を係合したものが知られている（例えば、特許文献１〜特許文献４参照）。
また、ベース板を使用せずに、タイルとの係合にガイドレールを用いたものも知られている（例えば、特許文献５〜９参照）。
【先行技術文献】
【特許文献】
【０００３】
【特許文献１】特開平５−７９１５５号公報
【特許文献２】特開平２−１９４２４９号公報
【特許文献３】特許第３１７１５６７号公報
【特許文献４】特開２００７−３０３１１０号公報
【特許文献５】特許第４４７２５４５号公報
【特許文献６】特許第５２３１２０４号公報
【特許文献７】特開平２−４７４６１号公報
【特許文献８】特許第４４２４７９０号公報
【特許文献９】特開平５−１４８９８２号公報
【発明の概要】
【発明が解決しようとする課題】
【０００４】
ところで、ユーザのさまざまな要求から、タイルの一部を、当初のタイルと交換して模様替えなどの要求が生じる場合がある。この場合、特許文献１〜４に記載の技術のように、タイルをベース板の凸部に接着した構造では、ベース板を交換する必要があるが、ベース板に凸部を一体に形成しているため、凸部を有した建築時と同一のベース板を入手しないと交換が難しい。また、入手容易な平らな板をベース板として用いた場合、タイルの位置を周囲のタイルの位置と調整し、かつ、ベース板と係合構造とするのが難しい。
【０００５】
また、特許文献５〜９に記載の技術は、ガイドレールが、水平方向に連続した構造であり、一部のみ、ガイドレールを切除して新規にガイドレールを設けるのが難しく、上記のような一部のみに新規なタイルの交換要求を満たすのが難しい。
【０００６】
本発明は、上述の従来の問題に着目して成されたもので、ベース板と一体のタイルの交換可能なタイル外壁およびタイル外壁施工方法を提供することを目的としている。
【課題を解決するための手段】
【０００７】
前記目的を達成するために、本願第１の発明のタイル外壁は、
外壁下地材の表面に胴縁が設けられ、
前記胴縁にベース板が固定され、
前記ベース板に形成された凸部に、裏面に形成された係合溝が係合されてタイルが固定されたタイル外壁において、
前記ベース板に隣接された固定ベース板が、前記外壁下地材に、固定ベース板用胴縁部材を介して固定され、
前記固定ベース板の表面に、前記凸部と上下方向の位置を一致させてガイドレールが設けられ、
前記タイルが前記ガイドレールに位置決めされて前記固定ベース板に固定されていることを特徴とするタイル外壁とした。
また、前記目的を達成するために、本願第２の発明のタイル外壁は、
外壁下地材の表面に胴縁が設けられ、
前記胴縁にベース板が固定され、
前記ベース板に形成された凸部に、裏面に形成された係合溝が係合されてタイルが固定されたタイル外壁において、
前記ベース板に隣接された固定ベース板が、前記外壁下地材に、固定ベース板用胴縁部材を介して固定され、
前記固定ベース板の表面に、ガイドレールが設けられ、
前記ガイドレールに前記係合溝を係合して前記タイルが前記固定ベース板に固定されていることを特徴とするタイル外壁とした。
また、前記目的を達成するために、本願第３の発明のタイル外壁は、
外壁下地材の表面に胴縁が設けられ、
前記胴縁にベース板が固定され、
前記ベース板にタイルが固定されたタイル外壁において、
前記ベース板に隣接された固定ベース板が、前記外壁下地材に、固定ベース板用胴縁部材を介して固定され、
前記固定ベース板の表面に、ガイドレールが設けられ、
前記タイルが前記ガイドレールに位置決めされて前記固定ベース板に固定されていることを特徴とするタイル外壁とした。
【０００８】
また、本発明のタイル外壁は、前記固定ベース板用胴縁部材は、前記ベース板と前記外壁下地材との間に介在される第１支持部と、前記固定ベース板の外周縁部と前記外壁下地材との間に介在される第２支持部と、を備えることが好ましい。
さらに、本発明のタイル外壁は、前記固定ベース板用胴縁部材として、前記固定ベース板の中間部を支持する第２の胴縁を備えることが好ましい。
加えて、前記固定ベース板の外周縁部と前記ベース板との目地部分に、前記目地部分と前記固定ベース板用胴縁部材とを区画する薄板製のジョイナが介在され、前記目地部分に、前記ジョイナの上からシール材が充填されるのが好ましい。
【０００９】
そして、前記目的を達成するために、本発明のタイル外壁の施工方法は、
ベース板に開口部を形成し、この開口部の範囲内の前記ベース板およびタイルを撤去する工程と、
前記開口部において、外壁下地材に固定ベース板用胴縁部材を固定し設置する工程と、
前記固定ベース板用胴縁部材に平板状の固定ベース板を設置し、前記開口部を前記固定ベース板により覆う工程と、
前記ベース板の前記凸部に連続して、前記固定ベース板の表面に、ガイドレールを設置する工程と、
前記タイルを、前記ガイドレールに位置決めした状態で前記固定ベース板に固定する工程と、
を実行することを特徴とするタイル外壁の施工方法とした。
【発明の効果】
【００１０】
本発明では、外壁下地材に設けた固定ベース板用胴縁部材に固定された固定ベース板に、ベース板の凸部と上下方向位置を一致させてガイドレールを設置することができる。そして、このガイドレールにタイルを位置決めし固定することができる。
したがって、タイル外壁の一部のタイルを交換したい場合、固定ベース板、固定ベース板用胴縁部材、ガイドレールを用いて、容易に交換することが可能となる。
また、第２の発明では、のタイル外壁は、外壁下地材に設けた固定ベース板用胴縁部材に固定された固定ベース板に、ガイドレールを設け、ガイドレールに係合溝を係合させてタイルを位置決めして固定ベース板に固定することができる。
したがって、タイル外壁の一部のタイルを交換したい場合、固定ベース板、固定ベース板用胴縁部材、ガイドレールを用いて、容易に交換することが可能となる。
また、第３の発明では、外壁下地材に設けた固定ベース板用胴縁部材に固定された固定ベース板に、ガイドレールを設け、タイルを、ガイドレールに位置決めし固定ベース板に固定することができる。
したがって、タイル外壁の一部のタイルを交換したい場合、固定ベース板、固定ベース板用胴縁部材、ガイドレールを用いて、容易に交換することが可能となる。
【００１１】
また、固定ベース板用胴縁部材が第１支持部と第２支持部とを備えるものでは、ベース板の縁部を、第１支持部により、強固に支持することができるとともに、固定ベース板の外周縁部を第２支持部により、強固に支持することができる。これにより、ベース板の一部を交換した際の強度を確保することができる。しかも、固定ベース板とベース板との厚さが異なっていても、第１支持部と第２支持部との厚さ寸法を独立して最適に設定することにより、上記効果を得ることができる。
【００１２】
さらに、固定ベース板用胴縁部材として第２の胴縁を備えるものでは、固定ベース板の中間部の支持剛性を向上でき、タイル交換時の強度をより確保することができる。
加えて、固定ベース板の外周縁部とベース板との間の目地部分に、目地部分と固定ベース用胴縁部材とを区画するを区画するジョイナを介在し、目地部分に、ジョイナの上からシール材が充填されたものでは、シール材により、気密性、水密性を向上できる。また、ジョイナの上からシール材を充填するため、シール材を、固定ベース板の外周縁部とベース板との間の充填する一方、固定ベース板用胴縁材とはジョイナにより区画し、三面接着状態となるのを防止できる。
【００１３】
さらに、本発明のタイル壁の施工方法では、タイルの一部を交換する場合、ベース板の一部を撤去して、固定ベース板を設けるとともに、この固定ベース板に設置されたガイドレールにタイルを位置決めして固定ベース板に固定することができる。
したがって、タイル外壁の一部のタイルの交換が必要な場合、固定ベース板、固定ベース板用胴縁部材、ガイドレールを用いて、容易に交換することが可能となる。その際、タイルは、ベース板側のタイルと同一高さに揃えて設置することができる。
【図面の簡単な説明】
【００１４】
【図１】本発明の実施の形態１のタイル外壁を示す縦断面図である。
【図２】実施の形態１のタイル外壁を示す横断面図であって、図１のＳ２−Ｓ２線の位置での断面を示す。
【図３】実施の形態１のタイル外壁の要部を拡大して示す拡大断面図である。
【図４】図３のガイドレールを固定する前の状態を示す拡大断面図である。
【図５】実施の形態１のタイル外壁の施工方法の説明図であり、ベース板に開口部を形成し、固定ベース板用胴縁部材としての横胴縁および縦胴縁を設置した状態を示す。
【図６】実施の形態１のタイル外壁の施工方法の説明図であり、ベース板に開口部に固定ベース板を設置した状態を示す。
【図７】実施の形態１のタイル外壁の施工方法の説明図であり、固定ベース板にガイドレールを設置した状態を示す。
【図８】実施の形態１のタイル外壁の施工方法の説明図であり、固定ベース板にタイルを設置した状態を示す。
【発明を実施するための形態】
【００１５】
以下、本発明の実施の形態について図面を参照して説明する。
（実施の形態１）
まず、実施の形態１のタイル外壁の構成を説明する。
図１は、実施の形態１のタイル外壁を示す縦断面図、図２は実施の形態１のタイル外壁を示す横断面図である。
【００１６】
図１、図２に示すタイル外壁Ａは、既設のタイル外壁Ａ１の一部を模様替えなどにより交換するのにあたり、その交換部分に本実施の形態１のタイル外壁Ａ２を適用したものである。
そこで、まず、図１、図２に基づいて、既設のタイル外壁Ａ１の構造について説明する。
この既設のタイル外壁Ａ１は、外壁下地材１０、胴縁２０、ベース板３０、タイル４０を備える。なお、図において矢印ＯＵＴが、建物ユニットＴＵの室外方向を示し、矢印ＵＰが上方を示し、矢印Ｌが室外側からタイル外壁Ａ１を見た際の左方向を示し、矢印Ｒが室外側からタイル外壁を見た際の右方向を示す。
【００１７】
外壁下地材１０は、合板、パーティクルボードなどの構造用の面材により形成され、建物ユニットの躯体となる縦枠１にドリル螺子１２や釘などにより固定されている。
【００１８】
胴縁２０は、図２に示すように、断面視が矩形状の木材であり、建物ユニットＴＵの上下方向に延在され、水平方向に所定間隔で配置されて、外壁下地材１０の表面にドリル螺子２１や釘などにより固定されている。なお、このドリル螺子２１および前述したドリル螺子１２は、図示上、重ならないように図における左右方向の位置をずらして記載しているが、左右方向に重なる位置に配置してよい。
また、以上説明した外壁下地材１０、胴縁２０の建物ユニットＴＵへの組み付けは、工場における建物ユニットＴＵの組付工程において実施される。
【００１９】
ベース板３０は、タイル４０を支持する板材であり、木質セメント板などの防火性および断熱性を有した板材が用いられ、胴縁２０にドリル螺子３１などにより固定されている。
よって、外壁下地材１０とベース板３０との間には、胴縁の厚み分の通気層５０が形成されており、この通気層５０が空気の流通路となっている。
なお、このベース板３０およびその外側の後述するタイル４０などの組み付けは、建物の建設現場にて実行される。
【００２０】
また、ベース板３０は、図１に示すように、タイル４０と係合用の凸部３２が一体に形成されている。この凸部３２は、水平方向に延在されるとともに、上下方向に一定の間隔で並設されている。なお、凸部３２は、ベース板３０の全長に亘って連続して形成してもよいし、水平方向に間隔を開けて非連続で形成してもよい。
【００２１】
タイル４０は、正面視で水平方向に長い略長方形形状に形成され（図８参照）、かつ、
裏面には、凸部３２と係合可能な係合溝４１が水平方向に延在して形成されている。
さらに、係合溝４１は、タイルの上下方向の複数箇所に形成され、本実施の形態では、上下２箇所に形成されているが、その数は、「２」に限定されない。
【００２２】
また、係合溝４１は、図３、図４に拡大して示すように、上側壁４１ａ、下側壁４１ｂがそれぞれ、下方に傾斜して形成されており、結露などの水分が、係合溝４１に溜まることなく落下するようにしている。
【００２３】
タイル４０は、ベース板３０に接着剤１１０（図３、図４参照）を塗布した上で、係合溝４１を図１に示すように、凸部３２に係合させ、ベース板３０に接着されている。なお、タイル４０は、上下方向で上側に配置されたタイル４０の下縁部が、下側に配置されたタイル４０の上縁部を覆うように設置されている。
以上の既設のタイル外壁Ａ１の構造は、建物ユニットＴＵの製造時に、工場において形成される。
【００２４】
次に、実施の形態１のタイル外壁Ａ２について説明する。
このタイル外壁Ａ２は、既設のタイル外壁Ａ１において、模様替えなどによりタイル４０の一部を交換する場合、その交換部位のベース板３０およびタイル４０を一旦除去して形成した開口部７０に、新たに設置された構造である。
【００２５】
すなわち、ベース板３０には、図５に示すように、開口部７０が形成されている。この開口部７０は、タイル外壁Ａ１の交換対象部位において、タイル４０をベース板３０から取り外し、ベース板３０を、図示のように横長の長方形形状切断することにより形成されたものである。
【００２６】
開口部７０は、水平方向の端縁が、図２に示すように、胴縁２０に沿う位置に設定されている。すなわち、本実施の形態１の例では、水平方向に横に胴縁２０が３本並ぶ範囲の両側の胴縁２０の内側に形成され、開口部７０を形成した時点では、開口部７０の水平方向の中央に、１本の胴縁２０が配置されている。なお、この中央の胴縁２０は、開口部７０内に配置されている部分は、後述するが、切断して撤去する。
【００２７】
また、この開口部７０には、図１、図２に示すように、固定ベース板８０がはめ込まれている。そして、この固定ベース板８０は、外壁下地材１０に固定された横胴縁９１、縦胴縁９２、横胴縁９３に固定されている。
【００２８】
なお、固定ベース板８０は、汎用性を有した木質セメント板などの平らな板材が用いられ、ベース板３０とは異なり凸部３２が形成されていない。このように、固定ベース板８０は、ベース板３０とは異なるため、ベース板３０とは板厚が異なる場合がある。本実施の形態１では、固定ベース板８０としてベース板３０よりも板厚が厚いものを用いた例を示しているが、固定ベース板８０の板厚は、これに限らず、ベース板３０と同厚あるいは薄いものを用いてもよい。
【００２９】
横胴縁９１は、図５に示すように、開口部７０の上縁部および下縁部に沿って設けられている。また、縦胴縁９２は、開口部７０の左右両端縁部および中央部に、開口部７０の上下方向の略全長に亘って設けられている。
【００３０】
また、横胴縁９１は、図１に示すように、胴縁２０と同じ厚さ寸法に形成された第１支持部９１ａと、第１支持部９１ａよりも僅かに厚さが薄い寸法の第２支持部９１ｂと、により略階段状に形成されている。なお、第１支持部９１ａと第２支持部９１ｂとには、胴縁２０と縦胴縁９２との厚さ寸法差と同じ厚さ寸法差が与えられている。
【００３１】
そして、横胴縁９１は、第１支持部９１ａが、既設のベース板３０と外壁下地材１０との間に配置され、ドリル螺子９１ｃがベース板３０の上から外壁下地材１０まで貫通されて固定されている。また、第２支持部９１ｂは、固定ベース板８０と外壁下地材１０との間に配置され、同様に、ドリル螺子９１ｄがベース板３０の上から外壁下地材１０まで貫通されて固定されている。
【００３２】
縦胴縁９２は、本実施の形態１では、図５に示すように、開口部７０の左右両端縁部と中央部とにおいて上下方向に延在して配置され、図２に示すように、外壁下地材１０にドリル螺子９２ａにより固定されている。なお、図２では、開口部７０の水平方向の中央に配置された縦胴縁９２は、図示を省略している。
【００３３】
また、縦胴縁９２は、矩形断面形状に形成され、既設の胴縁２０よりも、ベース板３０と固定ベース板８０との板厚差の分だけ、薄く形成されている。
【００３４】
なお、開口部７０の水平方向中央に配置された縦胴縁９２（図５参照）は、既設の胴縁２０の切除部分に配置され、この胴縁２０の開口部７０の外部で切除されていない部分と上下に連続して配置されている。また、開口部７０の左右縁部の縦胴縁９２は、図２に示すように、開口部７０の外周縁に配置された既設の胴縁２０に隣接して配置されている。
横胴縁９３は、固定ベース板８０（開口部７０）の面積が大きい場合に、必要に応じて設定するもので開口部７０の上下方向中間部において、水平方向に延在されている。
【００３５】
さらに、ベース板３０の開口部７０の内周と、固定ベース板８０の外周との間に形成された目地部分には、目地部分と固定ベース板用胴縁部材とを区画する金属薄板製の片ハットジョイナ９５が設けられている。なお、片ハットジョイナ９５の素材としては、金属に限らず、樹脂などを用いることができる。
【００３６】
この片ハットジョイナ９５は、図１、図２の拡大部分に示すように、略コの字断面形状の目地バックアップ部９５ａと、目地バックアップ部９５ａの一端から、開口部７０の内側方向に延びる被挟持片９５ｂと、によりハット断面の一端を切除した形状に形成されている。
目地バックアップ部９５ａは、ベース板３０と固定ベース板８０との間の目地部分に挿入される。
被挟持片９５ｂは、固定ベース板８０の外周縁部の裏面と、その裏側に配置された横胴縁９１の第２支持部９１ｂおよび縦胴縁９２とに挟まれて設置されている。
【００３７】
ベース板３０の開口部７０の内周と、固定ベース板８０の外周との間に形成された目地部分には、コーキング材９４が充填されている。このコーキング材９４は、ベース板３０の開口部７０の内周と、固定ベース板８０の外周とに接着状態硬化され、また、横胴縁９１および縦胴縁９２には、被接触となっている。
【００３８】
固定ベース板８０の表面には、ガイドレール１００が固定されている。このガイドレール１００は、ステンレスなどの金属製のもので、図３に示すように、略矩形断面形状に形成され、水平方向に延在されている。また、ガイドレール１００は、水平方向でベース板３０に形成された凸部３２に連続するよう（図２参照）、凸部３２と同じ高さに配置されている。そして、ガイドレール１００は、固定ベース板８０に接着剤により接着されるとともに、長手方向の複数箇所に木螺子１０１を締結して固定ベース板８０に固定されている。
【００３９】
また、図１、図２に示すように、固定ベース板８０には、タイル４０が固定されている。このタイル４０は、係合溝４１をガイドレール１００に係合した状態で、接着剤１１０により固定ベース板８０に接着されて固定されている。したがって、既設のタイル外壁Ａ１のタイル４０と同様に、タイル４０を接着のみにより固定したものと比較して、タイル４０の脱落が生じにくい構造となっている。
【００４０】
（実施の形態１の作用）
次に、実施の形態１のタイル外壁の作用を説明する。
＜工場組付手順＞
まず、既設のタイル外壁Ａ１の工場における建物ユニットＴＵへの組み付け工程を説明する。
この組付工程において、まず、図２に示すように、建物ユニットＴＵの構造枠（図示省略）に支持された縦枠１に、外壁下地材１０をドリル螺子１２あるいは釘などにより固定する。なお、外壁下地材１０の表面は、防水シート１１により覆う。
次に、外壁下地材１０の建物ユニットＴＵの室外方向位置に胴縁２０を配置し、ドリル螺子２１あるいは釘などにより固定する。
以上が、工場における組付作業となる。
【００４１】
次に、建築現場において、建物ユニットＴＵを組み付けた後に、建物ユニットＴＵの外側面をタイル４０の張り付ける作業を行う。
この場合、まず、ベース板３０を胴縁２０にドリル螺子３１により固定する。
この際、ベース板３０の凸部３２が、水平方向に連続するように、ベース板３０の上下方向位置を調整して設置する。
【００４２】
次に、ベース板３０の表面に接着剤１１０（図３参照）を塗布した後、ベース板３０の表面にタイル４０を接着する。
この際、図１に示すように、タイル４０の係合溝４１の上側壁４１ａを、凸部３２に対して上下方向に係合し、タイル４０の上下方向の位置を揃えて接着する。
以上によりタイル外壁Ａ１の組付工程を終える。
【００４３】
＜交換時＞
以上のように、タイル外壁Ａ１が組み付けられた建物ユニットＴＵにより組みたてられた建物が長期間に亘って使用されると、模様替えなどによりその一部のタイル４０を交換する場合がある。
【００４４】
この場合、タイル外壁Ａ１の一部分を以下の手順で交換することができる。
まず、交換個所のタイル４０を取り外し、ベース板３０を、矩形状に切断して撤去し、図５に示す開口部７０を形成する。また、開口部７０を形成することで、露出した既設の胴縁２０は、手鋸などを使用して切断し撤去する。ここで、「既設」とは建物ユニットＴＵの組付時に工場において組み付けられたものを指す。なお、図５に示す開口部７０では、水平方向（左右方向）の中央に位置する胴縁２０を切除した。
【００４５】
次に、開口部７０において切除した既設の胴縁２０の位置には、その上下に残る既設の胴縁２０（図示省略）に上下方向に連続するように長さを調整した縦胴縁９２を組み付け、ドリル螺子９２ａにより固定する。また、開口部７０の左右縁部にも、図２に示すように、その外側に配置された胴縁２０に隣接して縦胴縁９２，９２を組み付け、ドリル螺子９２ａにより固定する。
【００４６】
さらに、開口部７０の上縁および下縁に沿って、横胴縁９１を設置する。
この場合、図１に示すように、開口部７０の外周縁部に位置するベース板３０と外壁下地材１０との間に、横胴縁９１の第１支持部９１ａを挿入し、第１支持部９１ａによりベース板３０の開口部７０の上下に位置する端縁部を支持した状態とする。すなわち、開口部７０を形成することにより、開口部７０の上下のベース板３０は、片持ちの自由端となっている。そこで、この部分を、第１支持部９１ａを介して、外壁下地材１０により支持する。また、この状態で、開口部７０の上縁および下縁の内側に沿って横胴縁９１の第２支持部９１ｂを露出した状態となる（図２、図５参照）。
【００４７】
そして、ベース板３０の上から横胴縁９１の第１支持部９１ａに向けてドリル螺子９１ｃをねじ込んで、横胴縁９１を外壁下地材１０に固定する。
さらに、開口部７０の、例えば、上下方向の中央部に、横胴縁９３（図２参照）を水平方向に延在し、ドリル螺子により外壁下地材１０に固定する。
【００４８】
次に、開口部７０の内周に沿って、全周に亘って片ハットジョイナ９５を設置する。
この場合、目地バックアップ部９５ａを、ベース板３０に当接させ、被挟持片９５ｂを、開口部７０の内側方向であって、横胴縁９１の第２支持部９１ｂおよび縦胴縁９２に沿って配置し、接着などにより固定する。
【００４９】
次に、開口部７０の大きさに合わせて切断した固定ベース板８０を、片ハットジョイナ９５の目地バックアップ部９５ａに沿わせるように設置する。そして、図１に示すように、固定ベース板８０の上から横胴縁９１の第２支持部９１ｂに向けてドリル螺子９１ｄをねじ込む。また、図２に示すように、固定ベース板８０の上から、縦胴縁９２に向けてドリル螺子９２ｂをねじ込み、同様に、図示は省略するが、開口部７０の左右方向の中央に配置した縦胴縁９２および上下方向の中央に配置した横胴縁９３にもドリル螺子をねじ込み固定する。
【００５０】
さらに、固定ベース板８０とベース板３０との間の目地部分に、コーキング材９４を充填し、開口部７０は、図６に示すように、固定ベース板８０により気密・水密状態で覆われる。また、片ハットジョイナ９５を設けたことにより、コーキング材９４は、固定ベース板８０とベース板３０とに接着され、また、横胴縁９１および縦胴縁９２には、被接触となっている。
【００５１】
次に、固定ベース板８０の表面に、図３、図４に示すように、接着剤１１０を塗布し、さらに、ガイドレール１００を設置する。
この場合、図４に示すように、固定ベース板８０の表面に、略一定の厚さで接着剤１１０を塗布する。さらに、ガイドレール１００の裏面に接着剤１１０を塗布し、水平方向に隣り合うタイル外壁Ａ１のベース板３０の凸部３２と高さを一致させて接着し、さらに、木螺子１０１により複数箇所を固定する。
【００５２】
したがって、ガイドレール１００は、既設のベース板３０の凸部３２の水平方向に連続して配置される。これを、既設のベース板３０の各凸部３２に一致させて行うことにより、ガイドレール１００は、図７に示すように、上下に一定の間隔を開けて並設される。
【００５３】
その後、タイル４０の裏面に図４に示すように、接着剤１１０を塗布した上で、図１、図３に示すように、タイル４０の係合溝４１をガイドレールに係合させ、タイル４０の上下方向の位置決めを行う。さらに、左右方向は、既設のタイル４０を基準として予め設定された間隔で配置し、タイル４０を固定ベース板８０に接着により固定する。
【００５４】
これにより、交換されたタイル外壁Ａ２のタイル４０は、図８に示すように、既設のタイル外壁Ａ１のタイル４０と、同じ高さで、左右方向に連続して並設され、既設のタイル外壁Ａ１と違和感なく配置されたタイル外壁Ａ２が形成される。
以上により、タイル外壁Ａ１の一部にタイル外壁Ａ２が形成されて、外観をアレンジすることができる。あるいは、補修なども行うことができる。
【００５５】
（実施の形態１の効果）
以下に、実施の形態１のタイル外壁の効果を列挙する。
１）実施の形態１のタイル外壁は、
外壁下地材１０の表面に胴縁２０が設けられ、
胴縁２０にベース板３０が固定され、
ベース板３０に形成された凸部３２に、裏面に形成された係合溝４１が係合されてタイル４０が固定されたタイル外壁において、
ベース板３０に隣接された固定ベース板８０が、外壁下地材１０に、固定ベース板用胴縁部材としての横胴縁９１、縦胴縁９２、横胴縁９３を介して固定され、
固定ベース板８０の表面に、凸部３２と上下方向の位置を一致させてガイドレール１００が設けられ、
ガイドレール１００に係合溝４１を係合してタイル４０が固定ベース板８０に固定されていることを特徴とする。
したがって、タイル外壁Ａ１の一部のタイル４０の交換時には、ベース板３０の一部を切除した開口部７０に、外壁下地材１０に設けた固定ベース板用胴縁部材（横胴縁９１、縦胴縁９２、横胴縁９３）に固定ベース板８０を固定できる。そして、この固定ベース板８０に、ベース板３０の凸部３２と上下方向位置を一致させてガイドレール１００を設置し、このガイドレール１００に係合溝４１を係合させてタイル４０を位置決めし固定することができる。なお、ガイドレール１００は、後から追加するため、適正な長さに調整したうえで、適正な高さに位置を調節して設置できる。
よって、タイル外壁Ａ１の一部のタイル４０を交換する場合、固定ベース板８０、固定ベース板用胴縁部材（横胴縁９１、縦胴縁９２、横胴縁９３）、ガイドレール１００を用いて、容易に高品質で交換することが可能となる。
【００５６】
２）実施の形態１のタイル外壁は、
固定ベース板用胴縁部材としての横胴縁９１は、ベース板３０と外壁下地材１０との間に介在される第１支持部としての第１支持部９１ａと、固定ベース板８０の外周縁部と外壁下地材１０との間に介在される第２支持部としての第２支持部９１ｂと、を備えることを特徴とする。
したがって、ベース板３０に開口部７０を形成した際に、開口部７０の周縁のベース板３０の縁部を、横胴縁９１の第１支持部９１ａにより、強固に支持することができる。同時に、追加した固定ベース板８０の外周縁部も、横胴縁９１の第２支持部９１ｂにより、強固に支持することができる。
これにより、交換個所の強度を確保することができる。
しかも、横胴縁９１は、第１支持部９１ａと第２支持部９１ｂとで厚さを変えることにより、固定ベース板８０の厚さが、ベース板３０と異なっていても、適切に支持することができる。
【００５７】
３）実施の形態１のタイル外壁は、
固定ベース板用胴縁部材として、固定ベース板８０の中間部を支持する第２の胴縁としての縦胴縁９２および横胴縁９３を備えることを特徴とする。
したがって、固定ベース板８０を、より強固に固定することができる。
【００５８】
４）実施の形態１のタイル外壁は、
固定ベース板８０の外周縁部とベース板３０との目地部分に、目地部分と固定ベース用胴縁部材としての横胴縁９１および縦胴縁９２とを区画する金属薄板製の片ハットジョイナ９５が介在され、
目地部分に、片ハットジョイナ９５の上からシール材としてのコーキング材９４が充填されていることを特徴とする。
したがって、コーキング材９４により、気密性、水密性を向上できる。また、片ハットジョイナ９５の上からコーキング材９４を充填するため、コーキング材９４を、固定ベース板８０の外周縁部とベース板３０との間の充填する一方、横胴縁９１および縦胴縁９２とは片ハットジョイナ９５により区画し、三面接着状態となるのを防止できる。
【００５９】
５）実施の形態１のタイル外壁施工方法は、
ベース板３０に開口部７０を形成し、この開口部７０の範囲内のベース板３０およびタイル４０を撤去する工程と、
開口部７０において、外壁下地材１０に固定ベース板用胴縁部材（横胴縁９１、縦胴縁９２、横胴縁９３）を固定し設置する工程と、
固定ベース板用胴縁部材（横胴縁９１、縦胴縁９２、横胴縁９３）に平板状の固定ベース板８０を設置し、開口部７０を固定ベース板８０により覆う工程と、
固定ベース板８０に隣り合うベース板３０の凸部３２に連続して、固定ベース板８０の表面に、ガイドレール１００を設置する工程と、
ガイドレール１００に係合溝４１を係合した状態でタイル４０を固定ベース板８０に固定する工程と、
を実行することを特徴とする。
したがって、既設のタイル外壁Ａ１の模様替えなどの際は、容易に高品質で交換することができる。
【００６０】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００６１】
例えば、実施の形態では、タイル外壁を建物ユニットに適用したが、ユニット以外の建物にも適用することができる。
また、開口部の大きさや形状は、実施の形態で示したものに限定されるものではない。同様に、タイルの大きさや形状、その係合溝の数、ガイドレールの形状、凸部の形状も実施の形態で示したものに限定されるものではない。
また、実施の形態では、固定ベース板用胴縁材として、横胴縁、縦胴縁、横胴縁を示したが、これらは、固定ベース板および開口部の大きさに応じ、少なくともいずれか１つを用いればよい。また、１つの開口部に１枚の固定ベース板を嵌め込んだ例を示したが、１つの開口部に複数枚の固定ベース板を嵌め込むようにしてもよい。
【符号の説明】
【００６２】
Ａ     タイル外壁
Ａ１   タイル外壁
Ａ２   タイル外壁
１０   外壁下地材
２０   胴縁
３０   ベース板
３２   凸部
４０   タイル
４１   係合溝
７０   開口部
８０   固定ベース板
９１   横胴縁（固定ベース板用胴縁材）
９１ａ 第１支持部
９１ｂ 第２支持部
９２   縦胴縁（固定ベース板用胴縁材）
９３   横胴縁（固定ベース板用胴縁材）
９５    片ハットジョイナ（ジョイナ）
１００ ガイドレール
【図１】
2020139405.tif 000003
【図２】
2020139405.tif 000004
【図３】
2020139405.tif 000005
【図４】
2020139405.tif 000006
【図５】
2020139405.tif 000007
【図６】
2020139405.tif 000008
【図７】
2020139405.tif 000009
【図８】
2020139405.tif 000010